(57)【要約】      （修正有）【課題】各種電子機器などに用いられるタッチセンサにおいて、ＰＥＴフィルム製の第一基板および第二基板を有した構成をもち、偏光サングラス用の仕様品として提供可能なタッチセンサを提供する。【解決手段】タッチセンサ１１は、第一基板２１と、第一基板２１に重ねて配置される第二基板４２と、を有する。第一基板２１および第二基板４２はＰＥＴフィルム製であり、第一基板２１の進相軸と第二基板４２の進相軸との角度差が３０°以下である構成にした。【選択図】図１
2018132967.tif 000002
【特許請求の範囲】
【請求項１】
第一基板と、前記第一基板に重ねて配置される第二基板と、を備えるタッチセンサであって、
前記第一基板および前記第二基板はＰＥＴフィルム製であり、
前記第一基板の進相軸と前記第二基板の進相軸との角度差が略３０°以下であることを特徴とするタッチセンサ。
【発明の詳細な説明】
【技術分野】
【０００１】
本発明は、各種電子機器の入力操作部などに用いられるタッチセンサに関する。
【背景技術】
【０００２】
各種電子機器は入力操作部を有する。入力操作部は、透明性を有する静電容量式のタッチセンサを表示装置の前方に配置して構成される。
【０００３】
タッチセンサは、第一電極を設けた第一基板と第二電極を設けた第二基板とを有し、第一基板と第二基板は透明な粘着剤で貼り合せられている。第一基板と第二基板は、例えば、樹脂フィルム製である。第一電極と第二電極は、例えばＩＴＯ製である。
【先行技術文献】
【特許文献】
【０００４】
【特許文献１】特開２００９−７０１９１号公報
【発明の概要】
【発明が解決しようとする課題】
【０００５】
タッチセンサは、偏光サングラスを装着して視認する仕様を求められることもある。第一基板および第二基板として二軸延伸で形成されたＰＥＴフィルムを用いたタッチセンサとする場合、第一基板の進相軸と第二基板の進相軸の角度差を０°とすれば、偏光サングラスを装着して視認する際に虹見えの発生は生じないが、進相軸の角度差を０°とする構成にすることは生産性からして実用的ではないという課題があった。
【０００６】
本発明は、この問題を解決するもので、ＰＥＴフィルム製の第一基板および第二基板を有した構成で、偏光サングラス用の仕様品として提供可能なタッチセンサを得ることを目的とする。
【課題を解決するための手段】
【０００７】
この目的を達成するために本発明は、第一基板と、第一基板に重ねて配置される第二基板と、を備えるタッチセンサであって、第一基板および第二基板はＰＥＴフィルム製であり、第一基板の進相軸と第二基板の進相軸との角度差が３０°以下であることを特徴とするタッチセンサとする。
【０００８】
これであれば、ＰＥＴフィルム製の二枚の基板を有する構成で、偏光サングラス対応の仕様品として提供可能なタッチセンサを得ることができる。
【発明の効果】
【０００９】
以上のように本発明によれば、ＰＥＴフィルム製の二枚の基板を有する構成で、偏光サングラス用の仕様品として提供可能なタッチセンサを得られる。
【図面の簡単な説明】
【００１０】
【図１】本発明の実施形態によるタッチセンサの断面図
【図２】タッチセンサに対する検討内容をまとめて示す図
【図３】図２の内の一つの検討結果を示す図
【図４】図２の内の一つの検討結果を示す図
【発明を実施するための形態】
【００１１】
本実施の形態によるタッチセンサについて、以下に図面を用いて説明する。
【００１２】
（実施の形態）
図１は本発明の実施形態によるタッチセンサの断面図である。
【００１３】
図１に示すように、静電容量式のタッチセンサ１１は、第一基板２１と、第一電極３１と、第二基板４２と、第二電極５２と、を含む。第一基板２１および第二基板４２は、二軸延伸のＰＥＴフィルム製であり、透明性を有する。第一電極３１は、第一の方向に延出する帯状の外形である。複数の第一電極３１は、互いに略平行関係で第一基板２１の上面に配置されている。第二電極５２は、第一の方向と略直交する方向に延出する帯状の外形である。複数の第二電極５２は、略平行関係で第二基板４２の上面に配置されている。第一電極３１および第二電極５２の材質は、例えばＩＴＯである。または第一電極３１および第二電極５２は、銅などの細線をメッシュ状に配置した構成等であってもよい。第一電極３１を有する第一基板２１と第二電極５２を有する第二基板４２は、透明な粘着剤６１を介して貼り合せられている。また、第二基板４２の上面には、図示しないカバーレンズへの装着用に透明な粘着剤６２を有する。このように、タッチセンサ１１は、送信電極である第一電極３１と受信電極である第二電極５２とからなるセンサ電極を含んで構成されている。
【００１４】
上記構成のタッチセンサ１１は、表示装置（図示せず）の前方に配置して電子機器に搭載される。使用者が、タッチセンサ１１に指等でタッチ操作を行うと、操作された箇所に容量変化を生じて、この容量変化をセンサ電極を通じて検出し、操作された箇所に応じた電子機器の所定制御がなされる。
【００１５】
タッチセンサ１１は、偏光サングラス用の仕様になっており、その内容に続いて説明する。
【００１６】
タッチセンサ１１は、二軸延伸のＰＥＴフィルム製の第一基板２１、第二基板４２を重ねて配置した構成であるが、第一基板２１の進相軸と第二基板４２の進相軸との角度差は３０°以下であり、このために偏光サングラス用の仕様にも適する構成になっている。以下に、進相軸の角度差に対する検討内容について説明する。
【００１７】
まず、二軸延伸のＰＥＴフィルムの原反から原反のＴＤ方向に沿って、矩形状のサンプルを八つ切り出した。つまり、原反においてＴＤ方向に沿って第一サンプルから第八サンプルを切り出した。これらのサンプルは第一基板２１、第二基板４２に相当する。そして、第一サンプルから第八サンプルの進相軸の角度を、株式会社フォトニックラティス製のＷＰＡ−１００−Ｌで測定した。その後、それぞれのサンプルの内の二種類を重ね合わせた積層品にして、この積層品を、偏光軸を有するディスプレイの前方に配置し、この状態で写真撮影をした。なお、サンプル同士を重ね合わせる際には、サンプルにおける原反のＭＤ方向を合わせるように積層した。
【００１８】
ディスプレイの光源はＬＥＤで所謂白色光である。そして、積層品の前方位置に所定方向の偏光軸を有するタレックス光学工業株式会社製の偏光レンズを配置し、この偏光レンズを通して１，０１０万画素のデジタルスチルカメラを用いて写真撮影をした。つまり、偏光レンズを配置して偏光サングラスの装着状態と等価になる状態で写真撮影をした。
【００１９】
まず、それぞれの積層品をディスプレイの前方に配置した。積層品の配置状態は、積層品のＭＤ方向をディスプレイの偏光軸に対して平行関係になるように配置した。そして、偏光レンズの偏光軸を、積層品のＭＤ方向に合わせて配置しデジタルスチルカメラを用いて写真撮影をした。図２に、第一サンプルから第八サンプルの進相軸角度、撮影した写真
、および目視での評価結果などを合わせて示す。目視での評価結果は、複数人で確認し、実使用可能な範疇であると判断されたものを”○“で記載し、実使用に適さないと判定されたものを”×“で記載している。○評価および×評価の横に記載した数値は、積層品としたサンプル同士の進相軸の角度差（単位：°)である。
【００２０】
図２に示したように、積層品としたサンプル同士の進相軸の角度差が３０°以下であれば、実使用可能であると判定できた。実使用可能である基準としては、虹の発生度合いが余り目立たないことと、虹の影響を受けることで見え難くなるディスプレイに表示された文字や線の見え方を含めて判断した。なお、以下では積層品の内で代表的な組み合わせのものについて説明する。
【００２１】
第一サンプルと第二サンプルを重ねた積層品は、図２および図３に示すように、虹の発生は少なく、ディスプレイ内に表示させた文字１００や線１１０の見え方は良好であった。このために、偏光サングラスを装着したとしても使用可能であると判定した。この積層品の進相軸の角度差は６．５°であった。
【００２２】
そして、第三サンプルと第六サンプルを重ねた進相軸の角度差が４２．８°の積層品は、図２および図４に示すように、虹を確実に視認することができ、かつ虹見えの影響で文字１００や線１１０の視認状態も悪かったので、偏光サングラスの装着時には実使用に適さないと判定した。
【００２３】
つまり、上述した進相軸の角度差が６．５°と４２．８°との間に実使用に適するか否かの閾値があると推察し、進相軸の角度差が４２．８°よりも小さい３３．４°である第二サンプルと第五サンプルを重ねた積層品を観察した。この積層品は、若干の虹見えがあり、かつ文字１００や線１１０の視認状態としても虹見えの影響で少し劣っていたが、偏光サングラスの装着時に実使用に適さないまでの判定はし難かった。さらに、進相軸の角度差が３３．４°よりも小さい３０°である第一サンプルと第四サンプルを重ねた積層品は、前者よりも虹見えなどの状態は軽減している状態であり、実使用に適するとの判定ができた。そして、進相軸の角度差が３０°の積層品は実使用に適するとし、余裕を持つために進相軸の角度差が３３．４°の積層品は、実使用に適さないと判定した。その他の写真についての説明は省略するが、積層品において、進相軸の角度差が３０°以下の積層品は、偏光サングラスを通して視認したとしても虹見えなどが少なく実使用に適し、進相軸の角度差が３０°を超えると実使用に適さないと決定した。
【００２４】
以上のように、二軸延伸のＰＥＴフィルム製の基板を二枚重ねた構成にする場合では、進相軸の角度差が３０°以下であれば、偏光サングラス用の仕様に適した構成として提供できると判断した。
【００２５】
なお、上記以外にも各種の検討を行った。例えば、それぞれの積層品を、積層品のＭＤ方向をディスプレイの偏光軸に対して直交関係になるように配置した。そして、偏光レンズの偏光軸を、積層品のＭＤ方向に直交させて写真撮影などを行い確認した。この場合であっても同様に偏光サングラス用の仕様に適した構成としては、重ね合わせた二つのサンプル同士での進相軸の角度差は３０°以下であると判定できた。
【００２６】
さらに、それぞれの積層品を、積層品のＭＤ方向をディスプレイの偏光軸に対して４５°の角度に傾斜させて配置した。そして、偏光レンズの偏光軸を、積層品のＭＤ方向に平行関係に合わせて写真撮影などを行い確認した。また、偏光レンズの偏光軸を、積層品のＭＤ方向に直交関係に合わせて写真撮影などを行い確認した。いずれの場合であっても上記と同様に偏光サングラス用の仕様に適した構成としては、重ね合わせた二つのサンプル同士での進相軸の角度差が３０°以下であると判定できた。
【００２７】
以上のように、二軸延伸のＰＥＴフィルム製の第一基板２１、第二基板４２を重ねて配置したタッチセンサ１１は、第一基板２１と第二基板４２との進相軸の角度差を３０°以下にすることで、偏光サングラス用の仕様品として提供することができる。
【００２８】
なお、進相軸の角度差として３０°までの第一基板２１、第二基板４２の組み合わせにするために、例えば原反のＭＤ方向に隣り合う位置で切り出して第一基板２１、第二基板４２を得ると最も望ましい。原反のＴＤ方向に隣り合う位置で切り出して第一基板２１、第二基板４２を得ても進相軸の角度差は３０°以下の組み合わせになることが多いので、選別工数などは殆ど必要とせずに、偏光サングラス用の仕様品の生産も可能となる。
【産業上の利用可能性】
【００２９】
本発明にかかるタッチセンサによれば、ＰＥＴフィルム製の二枚の基板を有する構成で、偏光サングラス用の仕様品として提供でき、各種電子機器などに用いると有用である。
【符号の説明】
【００３０】
１１  タッチセンサ
２１  第一基板
３１  第一電極
４２  第二基板
５２  第二電極
６１、６２  粘着剤
１００  文字
１１０  線
【図１】
2018132967.tif 000003
【図２】
2018132967.tif 000004
【図３】
2018132967.tif 000005
【図４】
2018132967.tif 000006